(57)【要約】【課題】従来技術においては、各日の各デマンド時限のデマンド値を把握しつつ、他の複数の日のデマンド値と比較することが難しかった。  【解決手段】一の電気料金請求期間を一枚に収め、かつ同期間の最初の日から最後の日まで日単位で一定区画を占有させ、同じ週の各日の区画は左から右へ横方向に並べ、同じ曜日の各日の区画は上から下へ縦方向に並べて配置されたカレンダーであって、各日の区画の横軸として、縦方向に眺めた場合に各日の区画にて同じ曜日の同じ時刻の目盛となるように左から右へ向かう時間経過で配置される時刻軸と、各日の区画の縦軸として、横方向に眺めた場合に同じ週の各日の区画にて同じデマンド値の目盛となるように配置されるデマンド値軸と、各日の区画にて前記各軸の目盛に従って各デマンド時限のデマンド値を指示するデマンド値指示と、を有するデマンドカレンダーなどを提案する。【選択図】図１
2014132822.tif 000002
【特許請求の範囲】
【請求項１】
一の電気料金請求期間を一枚に収め、かつ同期間の最初の日から最後の日まで日単位で一定区画を占有させ、同じ週の各日の区画は左から右へ横方向に並べ、同じ曜日の各日の区画は上から下へ縦方向に並べて配置されたカレンダーであって、
各日の区画の横軸として、縦方向に眺めた場合に各日の区画にて同じ曜日の同じ時刻の目盛となるように左から右へ向かう時間経過で配置される時刻軸と、
各日の区画の縦軸として、横方向に眺めた場合に同じ週の各日の区画にて同じデマンド値の目盛となるように配置されるデマンド値軸と、
各日の区画にて前記各軸の目盛に従って各デマンド時限のデマンド値を指示するデマンド値指示と、
を有し、
各日の区画は、各日の日出時刻と日没時刻を前記時刻軸の目盛に従って指示する日出没時刻指示をさらに有するデマンドカレンダー。
【請求項２】
各日の区画にて前記各軸の目盛に従って各デマンド時限において理想とすべきデマンド値を指示する理想デマンド値指示をさらに有する請求項１に記載のデマンドカレンダー。
【請求項３】
各デマンド時限のデマンド値指示の色は、
そのデマンド値が理想デマンド値未満である場合は緑色又は青色、
そのデマンド値が理想デマンド値に対して所定量未満の超過である場合は黄色、
そのデマンド値が理想デマンド値に対して所定量以上の超過である場合は赤色、である請求項２に記載のデマンドカレンダー。
【請求項４】
各日において最大のデマンド値となるデマンド時限でのデマンド値指示は他のデマンド時限でのデマンド値指示と形状・模様・色彩の一以上が異なる請求項１から３のいずれか一に記載のデマンドカレンダー。
【請求項５】
各日の区画は、各日の天気や気温の気象情報の表示をさらに有する請求項１から４のいずれか一に記載のデマンドカレンダー。
【請求項６】
各日の区画は、各日の総電力使用量の表示をさらに有する請求項１から５のいずれか一に記載のデマンドカレンダー。
【発明の詳細な説明】
【技術分野】
【０００１】
本発明は、電気料金請求期間のデマンド値を表示するデマンドカレンダーと、当該デマンドカレンダーを作成する装置及び作成する方法に関する。
【背景技術】
【０００２】
従来、デマンド値などの変化をグラフ表示により利用者に把握させる技術が存在する。例えば特許文献１においては、時間別のエネルギー消費量や日別のエネルギー消費量を各画面のバーグラフとして表示することが可能な情報システムが開示されている。
【先行技術文献】
【特許文献】
【０００３】
【特許文献１】特開２００６−６０３６０
【発明の概要】
【発明が解決しようとする課題】
【０００４】
しかしながら、従来技術においては、各日の各デマンド時限のデマンド値を把握しつつ、他の複数の日のデマンド値と比較することが難しかった。例えば、特許文献１においては、時間別のエネルギー消費量や日別のエネルギー消費量を各画面においてそれぞれ表示することはできるものの、一画面で同時に表示することはできなかった。このため、利用者は例えばある日の所定時間帯（例えば、１５時００分〜１５時３０分）のエネルギー消費量と別の日のエネルギー消費量を比較する場合、ある日のエネルギー消費量を記憶した上で画面の切り替えを行い、他の複数の日のエネルギー消費量と比較する必要があった。
【０００５】
以上の課題を解決するために、一の電気料金請求期間を一枚に収め、かつ同期間の最初の日から最後の日まで日単位で一定区画を占有させ、同じ週の各日の区画は左から右へ横方向に並べ、同じ曜日の各日の区画は上から下へ縦方向に並べて配置されたカレンダーであって、各日の区画の横軸として、縦方向に眺めた場合に各日の区画にて同じ曜日の同じ時刻の目盛となるように左から右へ向かう時間経過で配置される時刻軸と、各日の区画の縦軸として、横方向に眺めた場合に同じ週の各日の区画にて同じデマンド値の目盛となるように配置されるデマンド値軸と、各日の区画にて前記各軸の目盛に従って各デマンド時限のデマンド値を指示するデマンド値指示と、を有するデマンドカレンダーを提案する。
【０００６】
また、一の電気料金請求期間の各デマンド時限のデマンド値の情報を取得するデマンド値情報取得部と、前記電気料金請求期間の最初の日から最後の日まで日単位で一定区画を占有させ、同じ週の各日の区画を左から右へ横方向に並べ、同じ曜日の各日の区画を上から下へ縦方向に並べて配置する日区画配置部と、各日の区画の横軸として、縦方向に眺めた場合に各日の区画にて同じ曜日の同じ時刻の目盛となるように左から右へ向かう時間経過で時刻軸を配置する時刻軸配置部と、各日の区画の縦軸として、横方向に眺めた場合に同じ週の各日の区画にて同じデマンド値の目盛となるようにデマンド値軸を配置するデマンド値軸配置部と、各日の区画にて前記各軸の目盛に従って各デマンド時限のデマンド値を指示するデマンド値指示を配置するデマンド値指示配置部と、を有するデマンドカレンダー作成装置を提案する。
【０００７】
また、一の電気料金請求期間のデマンド値の情報を取得するデマンド値情報取得ステップと、前記電気料金請求期間の最初の日から最後の日まで日単位で一定区画を占有させ、同じ週の各日の区画を左から右へ横方向に並べ、同じ曜日の各日の区画を上から下へ縦方向に並べて配置する日区画配置ステップと、各日の区画の横軸として、縦方向に眺めた場合に各日の区画にて同じ曜日の同じ時刻の目盛となるように左から右へ向かう時間経過で時刻軸を配置する時刻軸配置ステップと、各日の区画の縦軸として、横方向に眺めた場合に同じ週の各日の区画にて同じデマンド値の目盛となるようにデマンド値軸を配置するデマンド値軸配置ステップと、各日の区画にてデマンド値を前記各軸の目盛に従って指示するデマンド値指示を配置するデマンド値指示配置ステップと、を有するデマンドカレンダー作成方法を提案する。
【発明の効果】
【０００８】
以上のような構成をとる本発明によって、ある日のデマンド値を把握しつつ、視線をそのまま横方向又は縦方向にずらすことによって他の複数の日のデマンド値と容易に比較することが可能になる。
【図面の簡単な説明】
【０００９】
【図１】実施形態１のデマンドカレンダーの一例を示した図
【図２】実施形態１のデマンドカレンダーの各日の区画の一例を示した図
【図３】ある日の区画と翌週の同じ曜日の区画を示した図
【図４】ある日の区画と翌日の区画を示した図
【図５】実施形態１のデマンドカレンダー作成装置の機能ブロックの一例を示した図
【図６】デマンド値の情報の一例を示した図
【図７】実施形態１のデマンドカレンダー作成装置のハードウェア構成の一例を示した図
【図８】実施形態１のデマンドカレンダー作成方法の処理の流れの一例を示した図
【図９】実施形態２のデマンドカレンダーの各日の区画の一例を示した図
【図１０】実施形態２のデマンドカレンダー作成装置の機能ブロックの一例を示した図
【図１１】実施形態２のデマンドカレンダー作成方法の処理の流れの一例を示した図
【図１２】実施形態３のデマンドカレンダーの各日の区画の一例を示した図
【図１３】実施形態３のデマンドカレンダー作成装置の機能ブロックの一例を示した図
【図１４】実施形態３のデマンドカレンダー作成方法の処理の流れの一例を示した図
【図１５】実施形態４のデマンドカレンダーの各日の区画の一例を示した図
【図１６】実施形態４のデマンドカレンダー作成装置の機能ブロックの一例を示した図
【図１７】実施形態４のデマンドカレンダー作成方法の処理の流れの一例を示した図
【図１８】実施形態５のデマンドカレンダーの各日の区画の一例を示した図
【図１９】実施形態５のデマンドカレンダー作成装置の機能ブロックの一例を示した図
【図２０】実施形態５のデマンドカレンダー作成方法の処理の流れの一例を示した図
【図２１】実施形態６のデマンドカレンダーの各日の区画の一例を示した図
【図２２】実施形態６のデマンドカレンダー作成装置の機能ブロックの一例を示した図
【図２３】実施形態６のデマンドカレンダー作成方法の処理の流れの一例を示した図
【発明を実施するための形態】
【００１０】
以下に、本発明の実施例を説明する。実施例と請求項の相互の関係は、以下のとおりである。実施形態１は主に請求項１などに関し、実施形態２は主に請求項２、３などに関し、実施形態３は主に請求項４などに関し、実施形態４は主に請求項５などに関し、実施形態５は主に請求項１などに関し、実施形態６は主に請求項６などに関する。なお、本発明はこれらの実施形態に何ら限定されるものではなく、その要旨を逸脱しない範囲内において、様々な態様で実施しうる。
【００１１】
<<実施形態１>>
【００１２】
<デマンドカレンダー>
図１は、本実施形態のデマンドカレンダーの一例を示した図である。この図に示すように、本実施形態の「デマンドカレンダー」０１００は、一の電気料金請求期間（例えば、２０１０年９月８日〜２０１０年１０月７日）を一枚に収め、かつ同期間の最初の日から最後の日まで日単位で「一定区画」を占有させ、同じ週の各日の区画は左から右へ横方向に並べ、同じ曜日の各日の区画は上から下へ縦方向に並べて配置されたカレンダーである。図１に示すように、各日の区画には、通常のカレンダーと同様に、その日の日付が表示されている。
【００１３】
図２は、本実施形態のデマンドカレンダーの各日の区画の一例を示した図である。この図に示すように、本実施形態のデマンドカレンダーの「各日の区画」０２００は、「時刻軸」０２０１と、「デマンド値軸」０２０２と、「デマンド値指示」０２０３と、を有する。ここで、デマンド値とはデマンド時限における平均使用電力のことをいう。また、デマンド時限は電力会社などが設定した時間の区切りであり、例えば「０〜３０分、３０〜６０分」の３０分間単位が考えられる。
【００１４】
デマンド値は、電気料金の基本料金の計算に使用されたり、契約電力の基準となったりするため、過去所定期間（例えば、過去１２カ月）の最大値を更新しないように過去の電力使用の状況を鑑みて対策を立てる必要がある。
【００１５】
「時刻軸」は、各日の区画の横軸として、縦方向に眺めた場合に各日の区画にて同じ曜日の同じ時刻の目盛となるように左から右へ向かう時間経過で配置される。図３は、ある日の区画と翌週の同じ曜日の区画を示した図である。この図にあるように、一の区画にて所定のデマンド時限のデマンド値を把握し、縦方向に視線をずらすことによって他の区画の同デマンド時限のデマンド値と容易に比較することが可能になる。
【００１６】
また、「デマンド値軸」は、各日の区画の縦軸として、横方向に眺めた場合に同じ週の各日の区画にて同じデマンド値の目盛となるように配置される。図４は、ある日の区画と翌日の区画を示した図である。この図にあるように、一の区画においてピークデマンド値を把握し、横方向に視線をずらすことによって他の区画のピークデマンド値と容易に比較することが可能になる。
【００１７】
「デマンド値指示」は、各日の区画にて前記各軸の目盛に従って各デマンド時限のデマンド値を指示する。ここで、デマンド値指示としては、図２などのようにバー表示とすることも可能であるし、ポイント表示や、折れ線表示、曲線表示などとすることも可能であり、種々の態様が考えられる。
【００１８】
なお、一の電気料金請求期間が満了していない場合は、一の電気料金請求期間のデータが存在する時限までのデマンド値指示をデマンドカレンダーに表すことが考えられる。
【００１９】
また、一の電気料金請求期間において、電力使用の態様が似ている区画がわかるように表示することも考えられる。例えば、一日の最大のデマンド値が「０〜５０（ｋＷ）」である区画の日付の色は「青」、「５０〜７５（ｋＷ）」である区画の日付の色は「緑」、「７５〜１００（ｋＷ）」である区画の日付の色は「黄」、「１００（ｋＷ）〜」である区画の日付の色は「赤」といったように最大デマンド値の大きさによって各区画をグループ化することが考えられる。当該構成とすることによって、最大デマンド値が大きい日がカレンダー上においてどのように分布しているかを一目で把握することもできる。なお、一日の最大のデマンド値の代わりに一日の平均のデマンド値でグループ化することも可能であるし、一日の総電力使用量でグループ化することなども可能である。また、日付の色を変える代わりに、区画の背景色や、軸・目盛の色、デマンド値指示の色などを変えることも考えられる。
【００２０】
<デマンドカレンダー作成装置>
図５は、本実施形態のデマンドカレンダー作成装置の機能ブロックの一例を示す図である。この図にあるように、本実施形態の「デマンドカレンダー作成装置」０５００は、「デマンド値情報取得部」０５０１と、「日区画配置部」０５０２と、「時刻軸配置部」０５０３と、「デマンド値軸配置部」０５０４と、「デマンド値指示配置部」０５０５と、を備える。
【００２１】
なお、以下に記載する装置の機能ブロックは、ハードウェア、ソフトウェア、又はハードウェア及びソフトウェアの両方として実現され得る。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を記録媒体に固定した記録媒体も、当然にこの発明の技術的な範囲に含まれる（本明細書の全体を通じて同様である）。
【００２２】
「デマンド値情報取得部」は、一の電気料金請求期間の各デマンド時限のデマンド値の情報を取得する機能を有する。デマンド値情報取得部は、例えばＭＰＵやＣＰＵなどの処理演算装置やＲＡＭ、ＲＯＭなどの記憶装置などから構成される。具体的には、ＲＯＭなどに格納されたプログラムの各プロセスを処理演算装置にて順次実行することによって実現される（以下、日区画配置部、時刻軸配置部、デマンド値軸配置部、デマンド値指示配置部などについても同様である）。
【００２３】
デマンド値の情報は、有線又は無線のネットワークを介して計測装置やサーバ装置などから取得することも可能であるし、操作入力機器を介して取得することも可能である。また、取得したデマンド値の情報は、主記憶装置や補助記憶装置等に格納される。
【００２４】
図６は、デマンド値の情報の一例を示した図である。この図の例では、デマンド値の情報は、電気料金請求期間の各日付及び各デマンド時限とデマンド値（ｋＷ）が関連付けられたテーブル形式となっている。例えば、９月８日の０時０分から０時３０分までのデマンド時限のデマンド値は３８．０（ｋＷ）である。
【００２５】
なお、各デマンド時限のデマンド値が複数の場所の平均使用電力の総和によって算出される場合は、当該各場所における各デマンド時限の平均電力使用量の情報を取得する構成も考えられる。例えば、部屋Ａ〜Ｆの各デマンド時限の平均電力使用量の情報をそれぞれ取得し、各デマンド時限のデマンド値は全ての部屋の各デマンド時限の平均電力使用量の総和を算出することによって取得することが考えられる。
【００２６】
なお、デマンド値情報取得部は、一の電気料金請求期間の各デマンド時限のデマンド値の情報に加えて他の電気料金請求期間の各デマンド時限のデマンド値の情報を合わせて取得する構成も可能である。例えば、一の電気料金請求期間に対して過去三つの電気料金請求期間の各デマンド時限のデマンド値の情報を合わせて取得することなどが考えられる。
【００２７】
「日区画配置部」は、前記電気料金請求期間の最初の日から最後の日まで日単位で一定区画を占有させ、同じ週の各日の区画を左から右へ横方向に並べ、同じ曜日の各日の区画を上から下へ縦方向に並べて配置する機能を有する。なお、各日の区画の形状、サイズは同一である。区画の形状、サイズ、配置位置などの情報は予め記憶装置に保持させておき、日区画配置プログラムの各プロセスを処理演算装置にて実行する際にこれらの情報を読み出す。なお、操作入力機器を介してこれらの情報の入力を適宜受け付ける構成も可能である。
【００２８】
「時刻軸配置部」は、各日の区画の横軸として、縦方向に眺めた場合に各日の区画にて同じ曜日の同じ時刻の目盛となるように左から右へ向かう時間経過で時刻軸を配置する機能を有する。ここで、区画において時刻軸を配置する位置や時刻軸の目盛間隔などの情報は予め記憶装置に保持させておき、時刻軸配置プログラムのプロセスを処理演算装置にて実行する際にこれらの情報を読み出す。
【００２９】
なお、時刻軸配置部は、操作入力機器を介して設定入力を受け付けて時刻軸の目盛範囲を設定する手段を有する構成も可能である。例えば、全区画の時間軸の目盛範囲として０時から２４時までの各デマンド時限が設定されているところ、設定入力により８時から２２時までの各デマンド時限に設定することが考えられる。当該構成とすることによって、必要なデマンド時限の情報のみを表示することができる。
【００３０】
「デマンド値軸配置部」は、各日の区画の縦軸として、横方向に眺めた場合に同じ週の各日の区画にて同じデマンド値の目盛となるようにデマンド値軸を配置する機能を有する。ここで、区画においてデマンド値軸を配置する位置やデマンド値軸の目盛間隔などの情報は予め記憶装置に保持させておき、デマンド値軸配置プログラムの各プロセスを処理演算装置にて実行する際にこれらの情報を読み出す。
【００３１】
なお、デマンド値配置部は、操作入力機器を介して設定入力を受け付けてデマンド値軸の目盛範囲を設定する手段を有する構成も可能である。例えば、全区画のデマンド値軸の目盛範囲として０［ｋＷ］から１５０［ｋＷ］までが設定されているところ、設定入力により２５［ｋＷ］から１２５［ｋＷ］に設定することが考えられる。当該構成とすることによって、余分な目盛範囲を削ることが可能になる。
【００３２】
「デマンド値指示配置部」は、各日の区画にて前記各軸の目盛に従って各デマンド時限のデマンド値を指示するデマンド値指示を配置する機能を有する。デマンド値指示プログラムは、デマンド値情報から各日の各デマンド時限のデマンド値を抽出し、時刻軸とデマンド値軸の目盛を基準としてデマンド値指示を配置する。デマンド値指示がバー表示である場合は該当するデマンド値の高さのバーを表示する処理を行い、デマンド値指示がポイントやアイコンである場合は該当するデマンド値の位置にポイントやアイコンを表示する処理を行う。
【００３３】
なお、各デマンド時限のデマンド値が複数の場所の平均使用電力の総和によって算出される場合は、デマンド値指示（バー表示など）を場所ごとに色分けして分割し、分割した各部分が各場所の平均使用電力を示すようにすることも可能である。この場合、デマンドカレンダーの余白に各場所と色の対応表を示しておくことなどが考えられる。
【００３４】
以上のデマンドカレンダー作成装置により出力されたデマンドカレンダーのデータは、プリンタ装置に対して出力して印刷させることも可能であるし、ディスプレイ装置に対して出力して表示させることも可能である。また、記録媒体に記録したり、通信装置を利用してネットワーク上の他の装置に送信したりすることも可能である（以下の実施形態でも同様である）。
【００３５】
また、ディスプレイ上に表示されているデマンドカレンダーに対する操作入力を受け付けることにより、表示内容を変更させる表示内容変更部をさらに有する構成も可能である。
【００３６】
例えば、デマンドカレンダーのある日の区画を別の日の区画にドラッグする操作を受け付けた場合において、別の日の区画の各デマンド時限のデマンド値指示に対してある日の区画の各デマンド時限のデマンド値指示を重ねて表示することが考えられる。重ねて表示する際には、ある日のデマンド値指示と別の日のデマンド値指示が明確に区別できるように、指示態様を異ならせる。具体的には、ある日のデマンド値指示は折れ線表示として別の日のデマンド値指示はバー表示としたり、色を異ならせたりすることなどが考えられる。
【００３７】
また、ある日の区画と別の日の区画を選択する操作を行った場合において、ある日の区画の各デマンド時限のデマンド値と別の日の区画の各デマンド時限のデマンド値の差分を算出する処理を行い、当該差分値を各軸の目盛に従って指示する差分値指示をある日の区画又は／及び別の日の区画にて重ねて表示することも考えられる。なお、差分値指示はある日の区画のデマンド値が大きい場合とそうでない場合とで色を異ならせることも可能である（例えば、正を青で表し、負を赤で表す）。
【００３８】
また、複数の日の区画を選択する操作（範囲指定する操作も含む）を行った場合において、当該複数の日の区画の各デマンド時限のデマンド値の平均値、最小値、最大値を算出し、当該算出した値を各軸の目盛に従って指示する算出値指示を複数の日の区画に対して重ねて表示することも考えられる。なお、平均値の算出値指示、最小値の算出値指示、最大値の算出値指示は、デマンド値指示と明確に区別できるように指示態様を異ならせることも可能である。
【００３９】
また、ある日の区画を選択する操作を行った場合、ある日の区画の電力使用と近い電力使用を示す他の日の区画を抽出する処理を行い、当該他の日の区画がある日の区画の電力使用と近い区画であることを表示態様によって示すことが考えられる。例えば、ある日の区画の最大デマンド値と近い（例えば±１０％の差）最大デマンド値を有する他の日の区画を抽出し、ある日の区画と抽出された他の日の区画の日付の色をデフォルトの色から変更させて表示したり、当該背景色を変更したり、アイコンなどを付したりすることが考えられる。
【００４０】
<具体的な構成>
図７は、上記のデマンドカレンダー作成装置の機能的な各構成要素をハードウェアとして実現した際の、構成の一例を表す概略図である。この図を利用して、ハードウェア構成部の働きについて説明する。
【００４１】
この図にあるように、上記のデマンドカレンダー作成装置は、「ＣＰＵ」０７０１と、「ＲＡＭ」０７０２と、「ＲＯＭ」０７０３と、「補助記憶装置」０７０４と、「ディスプレイ装置」０７０５と、「通信装置」０７０６と、「プリンタ装置」０７０７と、「操作入力装置」０７０８と、を備える。これらの構成は、「システムバス」０７０９のデータ通信経路によって相互に接続され、情報の送受信や処理を行う。また、この図では省略しているが、補助記憶装置やディスプレイ装置、通信装置、プリンタ装置、操作入力装置は「インターフェイス」を介してシステムバスに接続されている。
【００４２】
ＲＯＭには、デマンド値情報取得プログラム、日区画配置プログラム、時刻軸配置プログラム、デマンド値軸配置プログラム、デマンド値指示配置プログラムなどが格納されており、必要に応じてＲＡＭに読み出され、ＣＰＵにて実行される。
【００４３】
ＣＰＵは、操作入力機器を介してデマンドカレンダーの出力命令を受信した場合、デマンド値情報取得プログラムを実行し、通信装置を介して電気料金請求期間のデマンド値の情報を取得し、ＲＡＭに格納する処理を行う。なお、予め電気料金請求期間のデマンド値の情報が補助記憶装置に存在する場合は、補助記憶装置からＲＡＭに読み出す処理を行う。上記デマンドカレンダーの出力命令には、取得する電気料金請求期間の情報などが含められていてもよいし、デマンド値情報取得プログラムにより現在の日付に基づいて取得する電気料金請求期間を自動的に決定してもよい。
【００４４】
続いて、ＣＰＵは、日区画配置プログラムを実行し、電気料金請求期間の最初の日から最後の日まで日単位で一定区画を占有させ、同じ週の各日の区画を左から右へ横方向に並べ、同じ曜日の各日の区画を上から下へ縦方向に並べて配置したカレンダー表示データを生成する処理を行い、ＲＡＭに格納する。
【００４５】
続いて、ＣＰＵは、時刻軸配置プログラムを実行し、ＲＡＭに格納されたカレンダー表示データに対して、各日の区画の横軸として、縦方向に眺めた場合に各日の区画にて同じ曜日の同じ時刻の目盛となるように左から右へ向かう時間経過で時刻軸を配置した時刻軸付きカレンダー表示データを生成する処理を行い、ＲＡＭに格納する。
【００４６】
続いて、ＣＰＵは、デマンド値軸配置プログラムを実行し、ＲＡＭに格納された時刻軸付きカレンダー表示データに対して、各日の区画の縦軸として、横方向に眺めた場合に同じ週の各日の区画にて同じデマンド値の目盛となるようにデマンド値軸を配置した両軸付きカレンダー表示データを生成する処理を行い、ＲＡＭに格納する。
【００４７】
続いて、ＣＰＵは、デマンド値指示配置プログラムを実行し、ＲＡＭに格納された両軸付きカレンダー表示データに対して、各日の区画にてデマンド値を前記各軸の目盛に従って指示するデマンド値指示を配置したデマンド値付きカレンダー表示データを生成し、ＲＡＭに格納する。
【００４８】
なお、上記において、日区画配置プログラム、時刻軸配置プログラム、デマンド値軸配置プログラム、デマンド値指示配置プログラムを順次実行しているが、これらの処理をまとめて行うことが可能なプログラムを実行することも可能である。
【００４９】
また、上記の処理によって生成されたデマンド値付きカレンダー表示データは、ディスプレイ装置やプリンタ装置、補助記憶装置に対してデータ出力したり、通信装置を介して送信したりすることも可能である。
【００５０】
<デマンドカレンダー作成方法>
図８は、本実施形態のデマンドカレンダー作成方法の処理の流れの一例を示す図である。同図の処理の流れは以下のステップからなる。まずステップＳ８０１において、一の電気料金請求期間の各デマンド時限のデマンド値の情報を取得する（デマンド値情報取得ステップ）。次にステップＳ０８０２において、前記電気料金請求期間の最初の日から最後の日まで日単位で一定区画を占有させ、同じ週の各日の区画を左から右へ横方向に並べ、同じ曜日の各日の区画を上から下へ縦方向に並べて配置する（日区画配置ステップ）。次にステップＳ０８０３において、各日の区画の横軸として、縦方向に眺めた場合に各日の区画にて同じ曜日の同じ時刻の目盛となるように左から右へ向かう時間経過で時刻軸を配置する（時刻軸配置ステップ）。次にステップＳ０８０４において、各日の区画の縦軸として、横方向に眺めた場合に同じ週の各日の区画にて同じデマンド値の目盛となるようにデマンド値軸を配置する（デマンド値軸配置ステップ）。次にステップＳ０８０５において、各日の区画にて前記各軸の目盛に従って各デマンド時限のデマンド値を指示するデマンド値指示を配置する（デマンド値指示配置ステップ）。
【００５１】
<効果>
以上のような構成をとる本発明によって、各日の各デマンド時限のデマンド値を把握しつつ、視線をずらすことのみによって、同じ週の他の日のデマンド値や、他の週の同じ曜日のデマンド値と容易に比較することが可能になる。
【００５２】
<<実施形態２>>
【００５３】
<デマンドカレンダー>
図９に示すように、本実施形態の「デマンドカレンダー」は、基本的に実施形態１に記載のデマンドカレンダーと同様であるが、各日の区画にて各軸の目盛に従って各デマンド時限において理想とすべきデマンド値を指示する「理想デマンド値指示」０９０１をさらに有することを特徴とする。
【００５４】
ここで、理想デマンド値指示はデマンド値指示と一見して区別可能なようにする。例えば、デマンド値指示がバー表示である場合は理想デマンド値指示を曲線表示や折れ線表示とし、デマンド値指示が折れ線表示や曲線表示である場合は理想デマンド値指示をバー表示とすることなどが考えられる。また、デマンド値指示と理想デマンド値指示の色を異ならせることも考えられる。
【００５５】
上記の構成とすることにより、各デマンド時限の現実のデマンド値と理想とすべきデマンド値を比較することができると同時に、視線を横方向又は縦方向などにずらすことによって、理想とすべきデマンド値が日によってどのように異なるかを一見して把握することができる。例えば、水曜日の各デマンド時限において理想とすべきデマンド値と木曜日の各デマンド時限において理想とすべきデマンド値がどのように異なるかなどについて視線をずらすことによって容易に把握することができる。
【００５６】
なお、各デマンド時限のデマンド値が理想デマンド値を上回った場合と、理想デマンド値を上回らなかった場合とで、各デマンド時限のデマンド値指示の色を異ならせることも可能である。例えば、理想デマンド値指示を上回ったデマンド時限におけるデマンド値指示（例えば、バー表示やポイント表示など）の色をオレンジ色にし、理想デマンド値指示を上回らなかったデマンド時限におけるデマンド値指示の色を青色にする、といったことが考えられる。
【００５７】
また、各デマンド時限のデマンド値指示の色は、そのデマンド値が理想デマンド値未満である場合は緑色又は青色、そのデマンド値が理想デマンド値に対して所定量未満の超過である場合は黄色、そのデマンド値が理想デマンド値に対して所定量以上の超過である場合は赤色、とすることも可能である。ここで、所定量としては、例えば各デマンド時限の理想デマンド値の所定％（例えば５％）とすることが考えられる。
【００５８】
理想デマンド値は過去の類似した条件のデマンド時限のデマンド値などに基づいて決められた値とすることも可能である。例えば、ある日の一のデマンド時限の理想デマンド値は、同じ曜日・同じデマンド時限・近い気温（±３℃範囲）の条件を満たす過去の最小デマンド値を基準として決定された値とすることが考えられる。また、同じ曜日・同じデマンド時限・近い総電力使用量（±５００ｋＷｈ）の条件を満たす過去の最小デマンド値を基準として決定された値とすることも考えられる。
【００５９】
<デマンドカレンダー作成装置>
図１０は、本実施形態のデマンドカレンダー作成装置の機能ブロックの一例を示す図である。この図にあるように、本実施形態の「デマンドカレンダー作成装置」１０００は、「デマンド値情報取得部」１００１と、「日区画配置部」１００２と、「時刻軸配置部」１００３と、「デマンド値軸配置部」１００４と、「デマンド値指示配置部」１００５と、「理想デマンド値情報取得部」１００６と、「理想デマンド値指示配置部」１００７を有する。以下、実施形態１との相違点である「理想デマンド値情報取得部」と、「理想デマンド値指示配置部」について説明する。
【００６０】
「理想デマンド値情報取得部」は、前記電気料金請求期間の各デマンド時限において理想とすべきデマンド値である理想デマンド値の情報を取得する機能を有する。
【００６１】
理想デマンド値情報取得部は、例えばＭＰＵやＣＰＵなどの処理演算装置やＲＡＭ、ＲＯＭなどの記憶装置などから構成される。具体的には、ＲＯＭなどに格納された理想デマンド値情報取得プログラムのプロセスを処理演算装置にて順次実行することによって実現される（以下、理想デマンド値指示配置部などについても同様である）。
【００６２】
理想デマンド値の情報は、有線又は無線のネットワークを介してサーバ装置などから取得することや、操作入力機器を介して取得することも可能である。また、取得した理想デマンド値の情報は、主記憶装置や補助記憶装置等に格納される。
【００６３】
また、理想デマンド値の情報は、デマンド値の情報に基づいて処理演算装置にて決定する構成も考えられる。例えば、ある日の一のデマンド時限の理想デマンド値を決定する際に、同じ電気料金請求期間又は／及び他の電気料金請求期間の同じ曜日・同じデマンド時限の条件を満たすデマンド値を抽出し、当該デマンド値の最小値をそのデマンド時限の理想デマンド値とする処理を行うことが考えられる。また、各デマンド時限について気温の情報を取得している場合は、同じ曜日・同じデマンド時限・近い気温（±３℃範囲）の条件を満たす他のデマンド時限のデマンド値を抽出し、これらのデマンド値の中で最小の値を理想デマンド値として設定する処理を行うことも可能である。また、気温に代えて、各日の天気や総電力使用量の情報を条件として用いることも考えられる。
【００６４】
「理想デマンド値指示配置部」は、各日の区画にて前記各軸の目盛に従って各デマンド時限の理想デマンド値を指示する理想デマンド値指示を配置する機能を有する。理想デマンド値指示プログラムは、理想デマンド値情報から各日の各デマンド時限の理想デマンド値を抽出し、時刻軸とデマンド値軸の目盛を基準として理想デマンド値指示を配置する。理想デマンド値指示が線表示である場合は各デマンド時限の理想デマンド値を線分で連結して表示する。
【００６５】
また、「デマンド値指示配置部」が、各デマンド時限のデマンド値指示の色をそのデマンド値が理想デマンド値未満である場合は緑色又は青色、そのデマンド値が理想デマンド値に対して所定量未満の超過である場合は黄色、そのデマンド値が理想デマンド値に対して所定量以上の超過である場合は赤色、となるように設定する「信号色設定手段」を有する構成とすることも可能である。
【００６６】
また、「理想デマンド値情報取得部」が、各デマンド時限の理想デマンド値の設定入力を受け付ける設定入力受付手段を有する構成とすることも可能である。例えば、ユーザ自身やコンサルタントが月曜から日曜・祝日までの各曜日について各デマンド時限の理想デマンド値を入力したり、各デマンド時限の理想デマンド値指示を上下に動かしたりすることで理想デマンド値の設定を行うことが考えられる。設定入力は、マウスやキーボード、タッチパネル等の一般的な操作入力機器によって行うことが可能である。また、設定入力受付手段により入力された情報はＲＡＭや補助記憶装置等に記憶され、必要に応じて適宜読み出される。
【００６７】
<具体的な構成>
本実施形態のデマンドカレンダー作成装置のハードウェア構成は、図７にて説明した実施形態１のデマンドカレンダー作成装置のハードウェア構成と同様であるが、理想デマンド値情報取得プログラムと理想デマンド値指示配置プログラムを有する点で異なる。以下、当該プログラムの処理について説明する。
【００６８】
ＣＰＵは、理想デマンド値情報取得プログラムを実行し、通信装置を介して電気料金請求期間の各デマンド時限の理想デマンド値の情報を取得し、ＲＡＭに格納する処理を行う。ここで、補助記憶装置において理想デマンド値の情報が既に存在する場合は、補助記憶装置からＲＡＭに対して読み出す処理を行う。
【００６９】
続いて、ＣＰＵは、理想デマンド値指示配置プログラムを実行し、ＲＡＭに格納されたデマンド値付きカレンダー表示データに対して、各日の区画にて前記各軸の目盛に従って各デマンド時限の理想デマンド値を指示する理想デマンド値指示を配置した理想デマンド値付き表示データを生成する処理を行い、ＲＡＭに格納する。
【００７０】
<デマンドカレンダー作成方法>
図１１は、本実施形態のデマンドカレンダー作成方法の処理の流れの一例を示す図である。同図の処理の流れは以下のステップからなる。ステップＳ１１０１からステップＳ１１０５までの処理は、図８で示した実施形態１の処理の流れと同様である。ステップＳ１１０６において、前記電気料金請求期間の各デマンド時限において理想的とすべきデマンド値である理想デマンド値の情報を取得する（理想デマンド値情報取得ステップ）。次にステップＳ１１０７において、各日の区画にて前記各軸の目盛に従って各デマンド時限の理想デマンド値を指示する理想デマンド値指示を配置する（理想デマンド値指示配置ステップ）。
【００７１】
<効果>
以上のような構成をとる本発明によって、各デマンド時限の現実のデマンド値と理想とすべきデマンド値を把握することができると同時に、視線をずらすことのみによって、同じ週の他の日のデマンド値や、他の週の同じ曜日のデマンド値と容易に比較することが可能になる。
【００７２】
<<実施形態３>>
【００７３】
<デマンドカレンダー>
図１２に示すように、本実施形態の「デマンドカレンダー」は、基本的に実施形態１に記載のデマンドカレンダーと同様であるが、各日において最大のデマンド値となるデマンド時限でのデマンド値指示（１２０１）は他のデマンド時限でのデマンド値指示と形状・模様・色彩の一以上が異なることを特徴とする。この図の例では、デマンド値指示（１２０１）は、他のデマンド値指示にはない三角のアイコンが上部に付されている。
【００７４】
例えば、デマンド値が最大となるデマンド時限でのデマンド値指示を赤色にし、他のデマンド時限でのデマンド値指示を青色にするといったことが考えられる。また、最大のデマンド値となるデマンド時限でのデマンド値指示が、他のデマンド時限におけるデマンド値指示にはないアイコンや文字などを有することも考えられる。
【００７５】
上記構成とすることにより、各日において最大のデマンド値となるデマンド時限やその最大デマンド値を一目で把握することができる。また、視線をずらすことによって同じ週の他の日における最大デマンド値や他の週の同じ曜日における最大デマンド値と容易に比較することができる。
【００７６】
<デマンドカレンダー作成装置>
図１３は、本実施形態のデマンドカレンダー作成装置の機能ブロックの一例を示す図である。この図にあるように、本実施形態の「デマンドカレンダー作成装置」１３００は、「デマンド値情報取得部」１３０１と、「日区画配置部」１３０２と、「時刻軸配置部」１３０３と、「デマンド値軸配置部」１３０４と、「デマンド値指示配置部」１３０５と、「最大デマンド時限取得部」１３０６を有し、「デマンド値指示配置部」は「指示態様設定手段」１３０７を有する。以下、実施形態１との相違点である「最大デマンド時限取得部」と、「指示態様設定手段」について説明する。
【００７７】
「最大デマンド時限取得部」は、前記電気料金請求期間中の各日にて最大のデマンド値となるデマンド時限を取得する機能を有する。最大デマンド時限取得部は、例えばＭＰＵやＣＰＵなどの処理演算装置やＲＡＭ、ＲＯＭなどの記憶装置などから構成される。具体的には、ＲＯＭなどに格納された最大デマンド時限取得プログラムのプロセスを処理演算装置にて順次実行することによって実現される（以下、指示態様設定手段についても同様である）。
【００７８】
各日にて最大のデマンド値となるデマンド時限はデマンド値情報に基づいて抽出することが可能であるが、有線又は無線のネットワークを介してサーバ装置から取得することや、操作入力機器を介して取得することも可能である。また、取得したデマンド時限の情報は、主記憶装置や補助記憶装置等に格納される。
【００７９】
「指示態様設定手段」は、各日にて最大のデマンド値となるデマンド時限でのデマンド値指示が他のデマンド時限でのデマンド値指示と形状・模様・色彩の一以上が異なるように設定する機能を有する。ここで、最大のデマンド値となるデマンド時限でのデマンド値指示の形態と他のデマンド時限でのデマンド値指示の形態の情報は、予め記憶装置に保持しておき、必要に応じて読みだす処理を行うことが考えられる。
【００８０】
<具体的な構成>
本実施形態のデマンドカレンダー作成装置のハードウェア構成は、図７にて説明した実施形態１のデマンドカレンダー作成装置のハードウェア構成と同様であるが、最大デマンド時限取得プログラムと指示態様設定プログラムを有する点で異なる。以下、これらのプログラムの処理について説明する。
【００８１】
ＣＰＵは、最大デマンド時限取得プログラムを実行し、ＲＡＭに読み出されたデマンド値情報に基づいて電気料金請求期間中の各日にて最大のデマンド値となるデマンド時限の情報を抽出する処理を行い、処理結果をＲＡＭに格納する。
【００８２】
続いて、ＣＰＵは、指示態様設定プログラムを実行し、各日にて最大のデマンド値となるデマンド時限のデマンド値指示が他のデマンド時限でのデマンド値指示と色彩が異なるように設定する処理を行う。
【００８３】
<デマンドカレンダー作成方法>
図１４は、本実施形態のデマンドカレンダー作成方法の処理の流れの一例を示す図である。同図の処理の流れは以下のステップからなる。ステップＳ１４０１からステップＳ１４０４までの処理は、図８で示した実施形態１の処理の流れと同様である。ステップＳ１４０５において、前記電気料金請求期間中の各日にて最大のデマンド値となるデマンド時限を取得する（最大デマンド時限取得ステップ）。次にステップＳ１４０６において、各日にて最大のデマンド値となるデマンド時限でのデマンド値指示が他のデマンド時限でのデマンド値指示と形状・模様・色彩の一以上が異なるように設定する（指示態様設定ステップ）。次にステップＳ１４０７において、各日の区画にて前記各軸の目盛に従って各デマンド時限のデマンド値指示を配置する（デマンド値指示配置ステップ）。
【００８４】
<効果>
以上のような構成をとる本発明によって、各日において最大のデマンド値となる時刻やその最大デマンド値を一目で把握することができる。また、視線をずらすことのみによって、同じ週の他の日のデマンド値や、他の週の同じ曜日のデマンド値と容易に比較することが可能になる。
【００８５】
<<実施形態４>>
【００８６】
<デマンドカレンダー>
図１５に示すように、本実施形態の「デマンドカレンダー」は、基本的に実施形態１に記載のデマンドカレンダーと同様であるが、各日の区画は、各日の天気や気温等の気象情報を示す気象情報表示（１５０１）をさらに有することを特徴とする。ここで、気象情報としては、各日・各デマンド時限の天気や気温、湿度、風速などの情報が考えられる。
【００８７】
各日の区画に気象情報を合わせて示すことによって、各日のデマンド値を比較する際に、気象条件も考慮に入れることが可能になり、さらに的確な比較を行うことが可能になる。例えば、ある日のデマンド値が前週の同じ曜日や翌週の同じ曜日のデマンド値と比較して大きくなっている場合、気温の情報を参酌することによりデマンド値が大きくなった理由を推測しやすくなる。また、同じような天気であるにもかかわらず前日や翌日のデマンド値と比較して大きくなった場合は、曜日の違いに起因するものではないかと推測することができる。
【００８８】
<デマンドカレンダー作成装置>
図１６は、本実施形態のデマンドカレンダー作成装置の機能ブロックの一例を示す図である。この図にあるように、本実施形態の「デマンドカレンダー作成装置」１６００は、「デマンド値情報取得部」１６０１と、「日区画配置部」１６０２と、「時刻軸配置部」１６０３と、「デマンド値軸配置部」１６０４と、「デマンド値指示配置部」１６０５と、「気象情報取得部」１６０６と、「気象情報表示配置部」１６０７を有する。以下、実施形態１との相違点である「気象情報取得部」と、「気象情報表示配置部」について説明する。
【００８９】
「気象情報取得部」は、前記電気料金請求期間中の各日の天気や気温等の気象情報を取得する機能を有する。気象情報取得部は、例えばＭＰＵやＣＰＵなどの処理演算装置やＲＡＭ、ＲＯＭなどの記憶装置などから構成される。具体的には、ＲＯＭなどに格納された気象情報取得プログラムのプロセスを処理演算装置にて順次実行することによって実現される（以下、気象情報表示配置部についても同様である）。
【００９０】
気象情報は温度計や湿度計、風速計などの計測機器からネットワークを介して取得することも可能であるし、インターネット回線を介してサーバ装置から取得することや、操作入力機器を介して取得することも可能である。また、取得した気象情報は、主記憶装置や補助記憶装置等に格納される。
【００９１】
「気象情報表示配置部」は、各日の区画に各日の天気や気温等の気象情報の表示を配置する機能を有する。ここで、気象情報の表示の配置する場所や表示の大きさ、気象情報を示すアイコンなどの情報は予め記憶装置に格納しておき、必要に応じて読み出すことが考えられる。
【００９２】
<具体的な構成>
本実施形態のデマンドカレンダー作成装置のハードウェア構成は、図７にて説明した実施形態１のデマンドカレンダー作成装置のハードウェア構成の説明と同様であるが、気象情報取得プログラムと、気象情報表示プログラムを有する点で異なる。以下、これらのプログラムの処理について説明する。
【００９３】
ＣＰＵは、気象情報取得プログラムを実行し、通信装置を介して電気料金請求期間の各デマンド時限の気象情報を取得し、ＲＡＭに格納する処理を行う。ここで、補助記憶装置において気象情報が既に存在する場合は、補助記憶装置からＲＡＭに対して読み出す処理を行う。
【００９４】
続いて、ＣＰＵは、気象情報表示プログラムを実行し、ＲＡＭに格納されたデマンド値付きカレンダー表示データに対して、気象情報に基づいて各日の天気に関連付けられたアイコン、最高気温、最低気温の表示を指定された位置に配置した気象情報付き表示データを生成する処理を行い、ＲＡＭに格納する。
【００９５】
<デマンドカレンダー作成方法>
図１７は、本実施形態のデマンドカレンダー作成方法の処理の流れの一例を示す図である。ステップＳ１７０１からステップＳ１７０５までの処理は、図８で示した実施形態１の処理の流れと同様である。ステップＳ１７０６においては、前記電気料金請求期間中の各日の天気や気温等の気象情報を取得する（気象情報取得ステップ）。ステップＳ１７０７においては、各日の区画にて各日の天気や気温等の気象情報の表示を配置する（気象情報表示配置ステップ）。
【００９６】
<効果>
本実施形態のデマンドカレンダーでは、各日の区画にて気象情報の表示が合わせて示されるため、各日のデマンド値を比較する際に、気象条件も考慮に入れることが可能になり、デマンド値の比較をさらに的確に行うことが可能になる。
【００９７】
<<実施形態５>>
【００９８】
<デマンドカレンダー>
図１８に示すように、本実施形態のデマンドカレンダーは、基本的に実施形態１に記載のデマンドカレンダーと同様であるが、各日の区画は、各日の日出時刻・と日没時刻を前記時刻軸の目盛に従って指示する日出日没指示（１８０１）をさらに有することを特徴とする。
【００９９】
時刻軸の目盛に従って日出時刻と日没時刻を指示することによって、各日のデマンド値を比較する際に、日出時刻や日没時刻も考慮に入れることが可能になり、デマンド値の比較をさらに的確に行うことが可能になる。例えば、デマンド値の上昇の理由は日没に伴う照明装置などの消費電力の増加に起因するものではないかと推測することが可能になる。
【０１００】
<デマンドカレンダー作成装置>
図１９は、本実施形態のデマンドカレンダー作成装置の機能ブロックの一例を示す図である。この図にあるように、本実施形態の「デマンドカレンダー作成装置」１９００は、「デマンド値情報取得部」１９０１と、「日区画配置部」１９０２と、「時刻軸配置部」１９０３と、「デマンド値軸配置部」１９０４と、「デマンド値指示配置部」１９０５と、「日出没時刻情報取得部」１９０６と、「日出没時刻指示配置部」１９０７を有する。以下、実施形態１との相違点である「日出没時刻情報取得部」と、「日出没時刻指示配置部」について説明する。
【０１０１】
「日出没時刻情報取得部」は、前記電気料金請求期間中の各日の日出時刻と日没時刻の情報を取得する機能を有する。日出没時刻情報取得部は、例えばＭＰＵやＣＰＵなどの処理演算装置やＲＡＭ、ＲＯＭなどの記憶装置などから構成される。具体的には、ＲＯＭなどに格納された日出没時刻情報取得プログラムのプロセスを処理演算装置にて順次実行することによって実現される（以下、日出没時刻指示配置部についても同様である）。
【０１０２】
日出時刻と日没時刻の情報は、有線又は無線のネットワークを介してサーバ装置から取得することや、操作入力機器を介して取得することも可能である。また、取得した日出時刻と日没時刻の情報は、主記憶装置や補助記憶装置等に格納される。
【０１０３】
「日出没時刻指示配置部」は、各日の区画にて各日の日出時刻と日没時刻を前記時刻軸の目盛に従って指示する日出没時刻指示を配置する機能を有する。日出没時刻指示プログラムは、日出時刻と日没時刻の情報から各日の日出時刻と日没時刻を抽出し、時刻軸の目盛を基準として日出没時刻指示を配置する。例えば、日出没時刻指示がポイントやアイコンである場合は該当する時刻軸の目盛の延長線上の位置にポイントやアイコンを配置する。
【０１０４】
<具体的な構成>
本実施形態のデマンドカレンダー作成装置のハードウェア構成は、図７にて説明した実施形態１のデマンドカレンダー作成装置のハードウェア構成の説明と同様であるが、日出没時刻情報取得プログラムと、日出没時刻指示配置プログラムを有する点で異なる。以下、これらのプログラムの処理について説明する。
【０１０５】
ＣＰＵは、日出没時刻情報取得プログラムを実行し、通信装置を介して電気料金請求期間の各日の日出時刻と日没時刻の情報を取得し、ＲＡＭに格納する処理を行う。ここで、補助記憶装置において日出時刻と日没時刻の情報が既に存在する場合は、補助記憶装置からＲＡＭに対して読み出す処理を行う。
【０１０６】
続いて、ＣＰＵは、日出没時刻指示配置プログラムを実行し、ＲＡＭに格納されたデマンド値付きカレンダー表示データに対して、日出時刻と出没時刻の情報に基づいて、各日の区画にて各日の日出時刻と日没時刻を前記時刻軸に従って指示する日出没時刻指示を配置した日出没時刻付き表示データを生成する処理を行い、ＲＡＭに格納する。
【０１０７】
<デマンドカレンダー作成方法>
図２０は、本実施形態のデマンドカレンダー作成方法の処理の流れの一例を示す図である。ステップＳ２００１からステップＳ２００５までの処理は、図８で示した実施形態１の処理の流れと同様である。ステップＳ２００６においては、前記電気料金請求期間中の各日の日出時刻と日没時刻の情報を取得する（出没時刻情報取得ステップ）。ステップＳ２００７においては、各日の区画にて各日の日出時刻と日没時刻を前記時刻軸の目盛に従って指示する出没時刻指示を配置する（出没時刻指示配置ステップ）。
【０１０８】
<効果>
本実施形態のデマンドカレンダーでは、時刻軸の目盛に従って日出時刻と日没時刻を指示するため、各日のデマンド値を比較する際に、日出時刻や日没時刻も考慮に入れることが可能になり、デマンド値の比較をさらに的確に行うことが可能になる。
【０１０９】
<<実施形態５>>
【０１１０】
<デマンドカレンダー>
図２１に示すように、本実施形態のデマンドカレンダーは、基本的に実施形態１に記載のデマンドカレンダーと同様であるが、各日の区画は、各日の総電力使用量の表示（２１０１）をさらに有することを特徴とする。なお、各日の総電力使用量の表示に加えて、各日の最大のデマンド値や最小のデマンド値、平均のデマンド値などの表示を行うことも考えられる。
【０１１１】
各日の区画にて、各日の総電力使用量をさらに表示することによって、各日のデマンド値を比較する際に、合わせて総電力使用量も比較することが可能になり、さらに的確な比較を行うことが可能になる。例えば、デマンド値のピークは同じであるが、総電力使用量に差がある場合は、どのデマンド時限における電力使用によって総電力使用量が増えたかを検証することが可能になる。
【０１１２】
<デマンドカレンダー作成装置>
図２２は、本実施形態のデマンドカレンダー作成装置の機能ブロックの一例を示す図である。この図にあるように、本実施形態の「デマンドカレンダー作成装置」２２００は、「デマンド値情報取得部」２２０１と、「日区画配置部」２２０２と、「時刻軸配置部」２２０３と、「デマンド値軸配置部」２２０４と、「デマンド値指示配置部」２２０５と、「総電力使用量取得部」２２０６と、「総電力使用量表示配置部」２２０７を有する。以下、実施形態１との相違点である「総電力使用量取得部」と、「総電力使用量表示配置部」について説明する。
【０１１３】
「総電力使用量取得部」は、前記電気料金請求期間中の各日の総電力使用量を取得する機能を有する。総電力使用量取得部は、例えばＭＰＵやＣＰＵなどの処理演算装置やＲＡＭ、ＲＯＭなどの記憶装置などから構成される。具体的には、ＲＯＭなどに格納された総電力使用量取得プログラムのプロセスを処理演算装置にて順次実行することによって実現される（以下、総電力使用量表示配置部についても同様である）。
【０１１４】
各日の総電力使用量は、デマンド値情報に基づいて各日のデマンド時限のデマンド値の総和を算出することによって取得することが可能であるが、有線又は無線のネットワークを介してサーバ装置から取得することや、操作入力機器を介して取得することも可能である。また、取得した総電力使用量の情報は、主記憶装置や補助記憶装置等に格納される。
【０１１５】
「総電力使用量表示配置部」は、各日の区画に各日の総電力使用量の表示を配置する機能を有する。ここで、総電力使用量の表示の配置する場所や表示の大きさなどの情報は予め記憶装置に格納しておき、必要に応じて読み出すことが考えられる。
【０１１６】
なお、デマンド値情報に基づいて各日の最大のデマンド値や最小のデマンド値、平均のデマンド値を抽出し、これらの値を示す表示を合わせて配置する構成も考えられる。
【０１１７】
<具体的な構成>
本実施形態のデマンドカレンダー作成装置のハードウェア構成は、図７にて説明した実施形態１のデマンドカレンダー作成装置のハードウェア構成の説明と同様であるが、総電力使用量取得プログラムと、総電力使用量表示配置プログラムを有する点で異なる。以下、これらのプログラムの処理について説明する。
【０１１８】
ＣＰＵは、総電力使用量取得プログラムを実行し、通信装置を介して電気料金請求期間の各日の総電力使用量の情報を取得し、ＲＡＭに格納する処理を行う。ここで、補助記憶装置において各日の総電力使用量の情報が既に存在する場合は、補助記憶装置からＲＡＭに対して読み出す処理を行う。
【０１１９】
続いて、ＣＰＵは、総電力使用量表示配置プログラムを実行し、ＲＡＭに格納されたデマンド値付きカレンダー表示データに対して、各日の総電力使用量の情報に基づいて各日の総電力使用量の表示を所定位置に配置した総電力使用量情報付き表示データを生成する処理を行い、ＲＡＭに格納する。
【０１２０】
<デマンドカレンダー作成方法>
図２３は、本実施形態のデマンドカレンダー作成方法の処理の流れの一例を示す図である。ステップＳ２３０１からステップＳ２３０５までの処理は、図８で示した実施形態１の処理の流れと同様である。ステップＳ２３０６では、前記電気料金請求期間中の各日の総電力使用量を取得する（総電力使用量取得ステップ）。ステップＳ２３０７では、各日の区画に各日の総電力使用量の表示を配置する（総電力使用量表示配置ステップ）。
【０１２１】
<効果>
本実施形態のデマンドカレンダーでは、各日の区画にて、各日の総電力使用量をさらに表示することによって、各日のデマンド値を比較する際に、合わせて総電力使用量も比較することが可能になり、さらに的確な比較を行うことが可能になる。
【符号の説明】
【０１２２】
０１００…デマンドカレンダー、０２０１…時刻軸、０２０２…デマンド値軸、０２０３…デマンド値指示、０５００…デマンドカレンダー作成装置、０５０１…デマンド値情報取得部、０５０２…日区画配置部、０５０３…時刻目盛配置部、０５０４…デマンド値軸配置部、０５０５…デマンド値指示配置部、０６０１…ＣＰＵ、０６０２…ＲＡＭ、０６０３…ＲＯＭ、０６０４…補助記憶装置、０６０５…ディスプレイ装置、０６０６…通信装置、０６０７…プリンタ装置、０６０８…操作入力装置、０６０９…システムバス、０９０１…理想デマンド値指示、１００６…理想デマンド値情報取得部、１００７…理想デマンド値指示配置部、１２０１…最大デマンド値となるデマンド時限のデマンド値指示、１３０６…最大デマンド時限取得部、１３０７…指示態様設定手段、１５０１…気象情報の表示、１６０６…気象情報取得部、１６０７…気象情報表示配置部、１８０１…日出没時刻指示、１９０６…日出没時刻情報取得部、１９０７…日出没時刻指示配置部、２１０１…総電力使用量の表示、２１０６…総電力使用量取得部、２１０７…総電力使用量表示配置部
【図５】
2014132822.tif 000003
【図６】
2014132822.tif 000004
【図７】
2014132822.tif 000005
【図８】
2014132822.tif 000006
【図１０】
2014132822.tif 000007
【図１１】
2014132822.tif 000008
【図１３】
2014132822.tif 000009
【図１４】
2014132822.tif 000010
【図１６】
2014132822.tif 000011
【図１７】
2014132822.tif 000012
【図１９】
2014132822.tif 000013
【図２０】
2014132822.tif 000014
【図２２】
2014132822.tif 000015
【図２３】
2014132822.tif 000016
【図１】
2014132822.tif 000017
【図２】
2014132822.tif 000018
【図３】
2014132822.tif 000019
【図４】
2014132822.tif 000020
【図９】
2014132822.tif 000021
【図１２】
2014132822.tif 000022
【図１５】
2014132822.tif 000023
【図１８】
2014132822.tif 000024
【図２１】
2014132822.tif 000025